(57)【要約】【課題】  両面読取り可能な装置の片面読取り時の処理を高速化する。【解決手段】  両面読み取り時は分岐ガイド８を動かして第１原稿搬送路９に原稿７を通し、読み取りセンサ１６を第１原稿搬送路９側に向け、原稿７を第１原稿搬送路９で搬送する。読み取りセンサ１６で原稿の表面、読み取りセンサ１７で裏面が読取られて両面が読取られる。片面読取り時は、センサ１６を第２原稿搬送路１０側に向ける。１枚目を取込むときは、(ａ)のように分岐ガイド８により第１原稿搬送路９を通るようにする。２枚目を取込むときは、（ｂ）のように第２原稿搬送路１０を通るようにする。これにより１枚目はセンサ１７で、２枚目はセンサ１６で読取られる。原稿取込み速度を両面読取り時の倍にすれば、原稿の処理枚数を両面読み取り時の倍にすることができる。【選択図】        図２
2006279112.tif 000002
【特許請求の範囲】
【請求項１】
原稿を搬送する第１原稿搬送路及び第２原稿搬送路と、
前記原稿を１枚ずつ取り込む取り込み手段と、
前記取り込まれた原稿を前記第１原稿搬送路又は第２原稿搬送路に分岐させて送り込む分岐手段と、
前記第１原稿搬送路を搬送される原稿の裏面又は前記第２原稿搬送路を搬送される原稿の表面を読み取るように読み取り位置が変更可能になされた第１読み取り手段と、
前記第１原稿搬送路を搬送される原稿の表面を読み取る第２読み取り手段と、
前記原稿の両面読み取り時には、前記原稿を前記第１原稿搬送路に送り込むように、前記原稿の片面読み取り時には、前記原稿を前記第１、第２原稿搬送路に１枚ずつ交互に送り込むように前記分岐手段を制御する分岐制御手段と、
前記第１読み取り手段の読み取り位置を、前記原稿の両面読み取り時には、前記第１原稿搬送路側に向け、前記原稿の片面読み取り時には、前記第２原稿搬送路側に向けるように制御する読み取り位置制御手段と、
前記原稿の取り込み速度を制御する速度制御手段とを備えたことを特徴とする両面読み取り機能付スキャナ装置。
【請求項２】
前記速度制御手段は、前記片面読み取り時には前記両面読み取り時より速い取り込み速度に制御することを特徴とする請求項１記載の両面読み取り機能付スキャナ装置。
【請求項３】
両面読み取り機能付スキャナ装置を備えた画像形成装置であって、前記両面読み取り機能付スキャナ装置は、
原稿を搬送する第１原稿搬送路及び第２原稿搬送路と、
原稿を１枚ずつ取り込む取り込み手段と、
前記取り込まれた原稿を前記第１原稿搬送路又は第２原稿搬送路に分岐させて送り込む分岐手段と、
前記第１原稿搬送路を搬送される原稿の裏面又は前記第２原稿搬送路を搬送される原稿の表面を読み取るように読み取り位置が変更可能になされた第１読み取り手段と、
前記第１原稿搬送路を搬送される原稿の表面を読み取る第２読み取り手段と、
前記原稿の両面読み取り時には、前記原稿を前記第１原稿搬送路に送り込むように、前記原稿の片面読み取り時には、前記原稿を前記第１、第２原稿搬送路に１枚ずつ交互に送り込むように前記分岐手段を制御する分岐制御手段と、
前記第１読み取り手段の読み取り位置を、前記原稿の両面読み取り時には、前記第１原稿搬送路側に向け、前記原稿の片面読み取り時には、前記第２原稿搬送路側に向けるように制御する読み取り位置制御手段と、
前記原稿の取り込み速度を制御する速度制御手段とを備えたことを特徴とする画像形成装置。
【請求項４】
前記速度制御手段は、前記片面読み取り時には前記両面読み取り時より速い取り込み速度に制御することを特徴とする請求項３記載の画像形成装置。
【発明の詳細な説明】
【技術分野】
【０００１】
本発明は、複写機等で用いられる両面読み取り機能付スキャナ装置及びこの装置を備えた画像形成装置に関するものである。
【背景技術】
【０００２】
現在、各社で製品化されている複写機には、スキャナ装置［以下ＤＰ［Ｄｏｃｕｍｅｎｔｏ  Ｐｒｏｃｅｓｓｏｒ）と呼ぶ］が取り付けられものが多い。ＤＰは、原稿トレイに載せられた原稿束から自動的に一枚ずつ原稿を取り込み、読み取りを行うものである。このＤＰを用いることにより、ユーザは多数の原稿を読み取って複写する場合に、時間を節約できると共に、複写中にその場を離れることができ、作業効率を改善することができる。
【０００３】
ＤＰには、原稿の表面を読み取った後に原稿の表裏を自動反転させて裏面を読み取る両面読み取り機能が付いたものがある。この機能によって原稿の両面に書かれている情報を読み取ることが可能になった。しかし、この方式で原稿の両面を読み取ると、どうしても原稿の表裏を反転する間の時間に読み取り動作が停止してしまい、生産性が低下する。
このため、最近のデジタル複写機の中には、原稿表面を読み取るセンサ（通常複写機本体に付いている）とは別に原稿裏面を読み取るセンサを設け、原稿が所定の経路を一回搬送される間に両面を同時に読み取るようにしたものがある。
【０００４】
また従来より、両面読み取り機能付ＤＰとして、原稿の表面の読み取りにはＣＣＤ等の走査速度の速い読み取りセンサを用い、裏面の読み取りには走査速度の遅い密着型イメージセンサ等の読み取りセンサを用い、原稿の片面のみ読み取る場合は、走査速度の速い方のセンサを用いることにより、片面読み取り時の走査速度を両面読み取り時より速くしたものが提案されている（例えば、特許文献１参照）。
【特許文献１】特開２００４−１８７１４４号公報
【発明の開示】
【発明が解決しようとする課題】
【０００５】
しかしながら、両面読み取り機能が付いたＤＰで処理される原稿は、必ず両面に情報があるとは限らず、実際には、どちらかといえば片面のみに情報がある原稿が多いように思われる。片面のみに情報がある原稿を読み取る場合は、裏面読み取りセンサは使用されないで眠ってしまっている。また、一般的に原稿読み取り速度は、各センサの処理速度により決定する場合が多い。これは原稿読み取りセンサの受光感度特性に依存し、高速で読み取るためには、その分感度の良いセンサを用意するか、原稿を照らす照射光を強くする必要があり、技術的、コスト的にも困難であった。また、特許文献１の場合は、走査速度の速い方のセンサを用いる片面読み取り時には、他方のセンサは遊んでいることになる。
【０００６】
従って本発明は、上述のように原稿の両面読み取り用にそれぞれ読み取りセンサを有する両面読み取り機能付ＤＰにおいて、片面読み取り時にも２つの読み取りセンサを有効に活用して、片面読み取り時の高速化を図ることを課題とする。
【課題を解決するための手段】
【０００７】
本発明による両面読み取り機能付スキャナ装置は、原稿を搬送する第１原稿搬送路及び第２原稿搬送路と、前記原稿を１枚ずつ取り込む取り込み手段と、前記取り込まれた原稿を前記第１原稿搬送路又は第２原稿搬送路に分岐させて送り込む分岐手段と、前記第１原稿搬送路を搬送される原稿の裏面又は前記第２原稿搬送路を搬送される原稿の表面を読み取るように読み取り位置が変更可能になされた第１読み取り手段と、前記第１原稿搬送路を搬送される原稿の表面を読み取る第２読み取り手段と、前記原稿の両面読み取り時には、前記原稿を前記第１原稿搬送路に送り込むように、前記原稿の片面読み取り時には、前記原稿を前記第１、第２原稿搬送路に１枚ずつ交互に送り込むように前記分岐手段を制御する分岐制御手段と、前記第１読み取り手段の読み取り位置を、前記原稿の両面読み取り時には、前記第１原稿搬送路側に向け、前記原稿の片面読み取り時には、前記第２原稿搬送路側に向けるように制御する読み取り位置制御手段と、前記原稿の取り込み速度を制御する速度制御手段とを備えたことを特徴とするものである。
【０００８】
また、本発明による画像形成装置は、両面読み取り機能付スキャナ装置を備えた画像形成装置であって、前記両面読み取り機能付スキャナ装置は、原稿を搬送する第１原稿搬送路及び第２原稿搬送路と、原稿を１枚ずつ取り込む取り込み手段と、前記取り込まれた原稿を前記第１原稿搬送路又は第２原稿搬送路に分岐させて送り込む分岐手段と、前記第１原稿搬送路を搬送される原稿の裏面又は前記第２原稿搬送路を搬送される原稿の表面を読み取るように読み取り位置が変更可能になされた第１読み取り手段と、前記第１原稿搬送路を搬送される原稿の表面を読み取る第２読み取り手段と、前記原稿の両面読み取り時には、前記原稿を前記第１原稿搬送路に送り込むように、前記原稿の片面読み取り時には、前記原稿を前記第１、第２原稿搬送路に１枚ずつ交互に送り込むように前記分岐手段を制御する分岐制御手段と、前記第１読み取り手段の読み取り位置を、前記原稿の両面読み取り時には、前記第１原稿搬送路側に向け、前記原稿の片面読み取り時には、前記第２原稿搬送路側に向けるように制御する読み取り位置制御手段と、前記原稿の取り込み速度を制御する速度制御手段とを備えたことを特徴とするものである。
【発明の効果】
【０００９】
本発明によれば、片面読み取り時に２つの読み取りセンサを有効に活用することにより、読み取り速度(読み取り処理枚数)を両面読み取り時より高速化することができる。特に片面読み取り時に取り込み速度を速くすることにより、最大で略２倍に高速化することができる。
【発明を実施するための最良の形態】
【００１０】
以下、本発明の実施の形態を図面と共に説明する。
図１は本発明の実施の形態による両面読み取り機能付ＤＰの概略的な構成図である。尚、この図１は両面読み取り時の状態である。
図１において、ＤＰ１は複写機本体側のスキャナユニット２部分に取り付けられている。
原稿トレイ３には原稿束４が載せられ、取り込みローラ５及び一対の送りローラ６により原稿束４の上から一枚ずつ原稿７が内部に取り込まれる。取り込まれた原稿７は、分岐ガイド８により第１原稿搬送路９又は第２原稿搬送路１０に分岐されて送り込まれる。原稿７を分岐するために分岐ガイド８は回動可能になされている。
【００１１】
第１原稿搬送路９は搬送ローラ１１によりベルトが移動することにより形成され、第２原稿搬送路１０は搬送ローラ１２によりベルトが移動することにより形成される。第１原稿搬送路９を通った原稿７は一対の排紙ローラ１３により排紙台１４に排紙され、第２原稿搬送路１０を通った原稿７は一対の排紙ローラ１５により排紙台１４に排紙される。
【００１２】
ＤＰ１内には、読み取りセンサ１６がその検出位置を変更可能に設けられている。この読み取りセンサ１６は、読み取り位置を変更することにより、第１原稿搬送路９を搬送される原稿７の裏面を読み取ると共に、第２原稿搬送路１０を搬送される原稿７の表面を読み取る。一方、スキャナユニット２には、読み取りセンサ１７が設けられている。この読み取りセンサ１７は、第１原稿搬送路９を搬送される原稿７の表面を読み取るものである。
【００１３】
図３は複写機の制御部の構成を示すブロック図である。
図３において、ＣＰＵ１８は全体を統括制御する。前記分岐ガイド８は、ＣＰＵ１８の制御に基づいてドライバ回路１９により回動される。また、原稿７の搬送速度を制御するためのドライバ回路２０は、搬送ローラ１１，１２(を回転駆動するモータ)を制御して搬送速度を制御する。また、ドライバ回路２１は、取り込みローラ５及び送りローラ６を制御して原稿７の取り込み速度を制御する。また、前記読み取りセンサ１６は、ドライバ回路２２により回動されることにより、その読み取り位置が、第１原稿搬送路９を搬送される原稿７の裏面側と、第２原稿搬送路１０を搬送される原稿７の表面側とに切り換えられる。
【００１４】
読み取りセンサ１６と前記読み取りセンサ１７によりそれぞれ読み取られた各原稿画像信号は、Ａ／Ｄ変換器２３，２４によりデジタル画像データに変換された後、画像処理部２５に送られて所定の画像処理が行われる。画像処理された画像データは画像形成部２６に送られ、ここで感光体ドラムに原稿画像に応じた静電潜像が形成され、この静電潜像はトナー現像された後、記録紙に転写、定着されて記録紙が排紙される。
尚、２７は画像処理に用いられる画像メモリ、２８は操作・表示部、２９はタイマ、３０はプログラム等が格納されたＲＯＭ，３１は作業用のＲＡＭである。
【００１５】
次に、本発明の特徴に関する部分を説明する。
図１は両面原稿を読み取る状態を示している。
図１において、分岐ガイド８を動かして第１原稿搬送路９に原稿７が通るように設定する。これと共に読み取りセンサ１６の読み取り位置を第１原稿搬送路９側に向ける。この状態で、原稿束４から１枚ずつ原稿７を取り込むと、この原稿７は分岐ガイド８により第１原稿搬送路９に送り込まれ、所定速度で搬送される。そして、まず読み取りセンサ１６で原稿７の表面が読み取られ、次に読み取りセンサ１７で原稿７の裏面が読み取られることにより、両面読み取りが行われる。
【００１６】
次に、片面原稿を読み取る場合について図２を参照して説明する。
読み取りセンサ１６の読み取り位置を第２原稿搬送路１０側に向ける。そして、まず原稿の１枚目を取り込むときは、図２(ａ)のように、分岐ガイド８を動かして第１原稿搬送路９に原稿７が通るように設定する。次に２枚目を取り込むときは、図２（ｂ）のように、分岐ガイド８を動かして第２原稿搬送路１０に原稿７が通るように設定する。このようにすることで、１枚目は読み取りセンサ１７で読み取りが行われ、２枚目は読み取りセンサ１６で読み取りが行われる。各センサ１６，１７は独立して動作するため、１枚目(奇数枚目)と２枚目(偶数枚目)の原稿を、同時に読み取ることができる。
【００１７】
従って、分岐ガイド８の手前で取り込みローラ５、送りローラ６により原稿７を取り込むときの取り込み速度を、両面読み取り時の倍速にすれば、１枚目(奇数枚目)と２枚目(偶数枚目)とで搬送路を切り換えることにより、センサ自体は両面読み取り時と同じ速度で処理しながら、原稿の処理枚数を両面読み取り時の倍にすることができる。
【００１８】
図４は上記の動作手順を示すフローチャートである。
まず、ユーザが原稿トレイ３に原稿束４をセットし、操作・表示部２８を操作して両面読み取り又は片面読み取りを指示する（Ｓ１）。次に、両面読み取りか片面読み取りかを判断し（Ｓ２）、両面読み取りの場合は、第１原稿搬送路９に原稿７が通るように分岐ガイド８を設定すると共に（Ｓ３）、読み取りセンサ１６を第１原稿搬送路９側に向ける（Ｓ４）。次に、原稿束４から１枚ずつ原稿７を通常速度（１）で取り込む（Ｓ５）。取り込んだ原稿７を第１原稿搬送路９により通常速度（１）で搬送しながら、読み取りセンサ１６，１７で両面を読み取る（Ｓ６）。上記の動作を原稿束４の原稿７がなくなるまで繰り返す（Ｓ７）。
【００１９】
上記Ｓ２で片面読み取りの場合は、読み取りセンサ１６を第２原稿搬送路１０側に向ける（Ｓ８）。そして、原稿７の取り込みを通常の倍の速度（２）で行う（Ｓ９）。原稿７が奇数枚目か偶数枚目かを判断し（Ｓ１０）、奇数枚目を取り込むときは、第１原稿搬送路９に原稿７が通るように分岐ガイド８を設定した後（Ｓ１１）、上記通常速度（１）で原稿７を搬送しながら読み取りセンサ１７で読み取りを行う（Ｓ１２）。偶数枚目を取り込むときは、第２原稿搬送路１０に原稿７が通るように分岐ガイド８を設定した後（Ｓ１３）、上記通常速度（１）で原稿７を搬送しながら読み取りを行う（Ｓ１４）。
【００２０】
次に、片面読み取りの場合、上記のように奇数枚目と偶数枚目で搬送路を切り換えるため、読み取った後の原稿７を排紙台１４上に排紙する際、元の順番に重ねて排紙する必要がある。そのための条件として各搬送路における搬送時間を次のように考慮する。
第１原稿搬送路９(奇数枚目の搬送路)長さＬ１，搬送速度Ｖ１より
搬送時間ｔ１＝Ｌ１／Ｖ１
第２原稿搬送路１０(偶数枚目の搬送路)長さＬ２，搬送速度Ｖ２より
搬送時間ｔ２＝Ｌ２／Ｖ２
後に続く原稿を遅らせる余裕時間をｔ０とすると、
ｔ２＋ｔ０≧ｔ１
従って、原稿の排紙を上記のタイミングで順次に行うようにすればよい。
【００２１】
以上説明した本実施の形態によれば、片面原稿読み取り時と、両面原稿読み取り時でＤＰ内に設けられた読み取りセンサ１６の向き(読み取り位置)を変えるようになし、片面原稿読み取り時には、原稿搬送路を一枚ずつ切り換えると共に、原稿の取り込み速度を両面読み取り時より速くすることにより、片面読み取り時の単位時間の原稿の処理枚数を、両面読み取り時の原稿処理枚数の最大略２倍の高速化を実現することができる。特に、片面読み取り時に２つの読み取りセンサを有効に使用することにより、上記の効果を得ることができる。
【図面の簡単な説明】
【００２２】
【図１】本発明の実施の形態による両面読み取り機能付スキャナ装置を示す構成図である。
【図２】両面読み取り機能付スキャナ装置の片面読み取り時の動作を示す構成図である。
【図３】複写機の制御部の構成を示すブロック図である。
【図４】動作手順を示すフローチャートである。
【符号の説明】
【００２３】
１  ＤＰ(両面読み取り機能付スキャナ装置)               ４  原稿束
５  取り込ローラ                              ６  送りローラ
７  原稿                   ８  分岐ガイド
９  第１原稿搬送路         １０  第２原稿搬送路
１１，１２  搬送ローラ      １６  読み取りセンサ
１７  読み取りセンサ        １８  ＣＰＵ
１９〜２２  ドライバ回路    ２８  操作・表示部
【図１】
2006279112.tif 000003
【図２】
2006279112.tif 000004
【図３】
2006279112.tif 000005
【図４】
2006279112.tif 000006